(57)【特許請求の範囲】
【請求項１】
平面上、空間を挟んで対向し、層の異なる床間に架設される複数本の直階段型の階段がその幅方向に隣接しながら、立面上、互いに交差するクロス階段であり、
前記隣接する２本の階段が双方の階段の長さ方向中間部において互いに交差し、この交差する区間に、前記階段の長さ方向に前記各階段の複数枚の段板に跨る長さを持つと共に、前記階段の幅方向に前記隣接する階段間に跨る幅を持つ渡り部材が着脱自在に設置され、前記交差する区間において前記階段の幅方向に連通し、前記階段間が往来可能となっており、
前記渡り部材は前記階段の幅方向両側に前記各階段の２枚以上の前記段板に跨って支持される脚部を有し、この各脚部はそれぞれの側の前記階段の２枚以上の前記段板の踏面の形状に応じて切り欠かれた形状をしていることを特徴とするクロス階段。
【請求項２】
請求項１に記載のクロス階段に使用され、隣接する２本の階段の前記交差する区間に配置される仮設の渡り部材であり、前記階段の長さ方向に前記各階段の複数枚の段板に跨る長さを持つと共に、前記階段の幅方向に前記隣接する階段間に跨る幅を持ち、前記隣接する階段の各段板上に載置された状態で、前記隣接する階段の双方に着脱自在に設置され、
前記階段の幅方向両側に前記各階段の２枚以上の前記段板に跨って支持される脚部を有し、この各脚部はそれぞれの側の前記階段の２枚以上の前記段板の踏面の形状に応じて切り欠かれた形状をしていることを特徴とするクロス階段往来用渡り部材。
【発明の詳細な説明】
【技術分野】
【０００１】
本発明は層（階）の異なる床間に架設される複数本の直階段型の階段が幅方向に隣接しながら、互いに交差し、主に工事期間中に隣接する階段間を往来（行き来）可能にしたクロス階段、及び隣接する階段間の往来の目的で使用されるクロス階段往来用渡り部材に関するものである。
【背景技術】
【０００２】
例えば階段の中途（長さ方向中間部）に広い踊り場を確保できる直階段が幅方向に隣接しながら、層（階）の異なる床間に架設される場合、隣接する直階段は踊り場を共有する形態になるため、双方の階段の踊り場を通じて隣接する階段間を自由に行き来することが可能である（特許文献１参照）。
【０００３】
例えば一方の階段の上階への上り口からは、踊り場を経由して折り返すことで、隣接する階段の降り口に向かうことができるため、踊り場を経由しない場合より同一の、隣接する階段の降り口までの経路を短縮できる利点がある。但し、特許文献１では踊り場が建物の特定の階に位置しているため、一方の階段の下階の上り口から踊り場を経由し、隣接する階段の降り口に到達した地点は２層分、上の階になる。
【０００４】
これに対し、図６に示すように長さ方向の中途に踊り場を確保できない直階段が隣接する場合、隣接する階段間には共有する踊り場が存在しないため、隣接する階段間に両者を仕切る壁が構築される以前の工事期間中においても隣接する階段間を往来することができない。この場合、例えば下階のある地点から上階の同一地点まで移動しようとするときには、図６に黒丸を起点とする矢印で示すように下階の上階への上り口からは、上階の対向する側（階段からの降り口）まで移動した後に迂回して同一地点まで戻らなければならない不便さがある。
【先行技術文献】
【特許文献】
【０００５】
【特許文献１】特開２００１−２４１１９２号公報（請求項３、段落００１１、図２）
【発明の概要】
【発明が解決しようとする課題】
【０００６】
特許文献１では交差する直階段の交差区間に形成される踊り場７を通じて隣接する階段間を行き来可能にしているが、踊り場７の設置位置が前記のようにいずれかの階の床面のレベルに揃えられているため（段落００１１）、上下に隣接する階間の中間部を通じた、隣接階間の同一地点間の移動が自由になっている訳ではない。踊り場７には階段の幅方向に配置される渡り廊下１４、１５が連続し、渡り廊下１４、１５が隣接する棟の廊下４に連続している。
【０００７】
特許文献１は複数の層を持つ棟（建物）が平行に、隣接して立設される場合において、隣接する棟の対向する面に配置された廊下間の移動（往来）を可能にすることを目的とするに留まるため（請求項１、段落０００２）、隣接階間の中間部を経由させ、隣接する直階段間を折り返して昇降させることは可能になっていない。特に工事期間中の作業性向上のための移動の便宜を考慮した、隣接階間の同一地点間の短絡化した移動は可能になっていない。
【０００８】
本発明は上記背景より、主に工事期間中の作業性向上のための、上下に隣接する階間の同一地点間の移動を可能にするクロス階段と、それに使用され、交差する階段間の往来に適したクロス階段往来用渡り部材を提案するものである。
【課題を解決するための手段】
【０００９】
請求項１に記載の発明のクロス階段は、平面上、空間を挟んで対向し、層の異なる床間に架設される複数本の直階段型の階段がその幅方向に隣接しながら、立面上、互いに交差するクロス階段であり、前記隣接する２本の階段が双方の階段の長さ方向中間部において互いに交差し、この交差する区間に、前記階段の長さ方向に前記各階段の複数枚の段板に跨る長さを持つと共に、前記階段の幅方向に前記隣接する階段間に跨る幅を持つ渡り部材が着脱自在に設置され、前記交差する区間において前記階段の幅方向に連通し、前記階段間が往来可能となっており、
前記渡り部材は前記階段の幅方向両側に前記各階段の２枚以上の前記段板に跨って支持される脚部を有し、この各脚部はそれぞれの側の前記階段の２枚以上の前記段板の踏面の形状に応じて切り欠かれた形状をしていることを構成要件とする。
【００１０】
「空間」は階段室となる空間を指す。「層の異なる床間」は基本的には上下に隣接する階（ある階とその直上階）の床間を指すが、直階段が２層間（例えば１階と３階との間）に架設されることもあるため、必ずしも上下に隣接する階の床間とは限らない。
【００１１】
クロス階段を構成する直階段型の階段は建物の平面計画に応じ、幅方向に３本以上、隣接して架設される場合もあり、その場合も、少なくともいずれか隣接する２本の階段が互いに交差する。２本の階段が交差する区間（連通区間）は主に建物（構造物）の工事（施工）期間中における作業者の作業効率向上の目的で通行されることから、交差区間（連通区間）の階段の長さ方向の幅には、人の通過が可能な大きさが確保されればよい。この関係で、交差区間は少なくとも各階段の長さ方向中間部に位置する１枚、もしくは複数枚の段板を含む領域（区間）であればよく、交差区間には踊り場の形成を要しない。
【００１２】
直階段では階段が架設される下層階の床面のレベルと上層階の床面のレベルの差（階高）と、両床面間の水平距離の関係から、段数（段板の枚数）と１枚の段板の奥行き（踏面寸法）が決まる。このため、水平距離の制約から、踊り場を確保できる余裕のない床面積の領域内に踊り場を形成すれば、少なくともいずれかの段板の奥行きを縮小せざるを得ない結果を招く。これに対し、踊り場の形成を要することなく、階段の長さ方向には１枚、もしくは複数枚の段板を含む領域で幅方向に隣接する階段が連通することで、いずれの段板の奥行き（踏面寸法）をも減少させずに隣接する階段間の往来を自在にすることができる。
【００１３】
直階段を構成する全段板の奥行きを減少させる必要がないことで、隣接する階段間の人（作業者）の往来（通行）に使用される交差区間（連通区間）の足場となる床面（段板の踏面）の内、段差のない平坦な面をなす領域（範囲）の面積を拡大することができる利点がある。段板の奥行きが小さければ、交差区間の足場となる床面、例えば後述する渡り部材の連結部の上面が段差のある階段状になり易い。
【００１４】
詳しく言えば、交差区間（連通区間）には上記のように階段の長さ方向に、人の通行のための一定の幅が確保されるが、１枚の段板の奥行きが小さければ、交差区間の一定幅を確保する上で、多数の段板に跨る区間が必要になるため、交差区間の通路の足場となる床面が階段状になり、段差を有する形になり、段数も多くなり易い。これに対し、１枚の段板の奥行きを減少させずに済む場合には、通路の足場となる床面を平板状にすることが可能になるか、またはより少ない段数の段板に跨がればよい形状にすることができるため、通行時の安定性と安全性が確保され易くなる。
【００１５】
また隣接する２本の階段が双方の階段の長さ方向中間部において互いに交差することで、異なる層間（階間）の中間部の高さ（レベル）で隣接する２本の階段間の移動（往来）が可能になるため、異なる層間、特に隣接階間の同一地点間の短絡化した移動が可能になる。
【００１６】
異なる層間の同一地点間、例えば図５に示すように一方の階段の、○を付した下階の上り口から直上階の階段の上り口まで、１層分、移動する上では、下階の階段の上り口から階段の中途（長さ方向中間部）の交差区間（連通区間）まで上昇したところで、交差区間（連通区間）から隣接する階段に移動し、折り返してその階段の中途（中間部）から、矢印の先端である降り口まで上昇すればよいことになる。折り返した先の階段の降り口は直上階の階段の上り口と同一地点に他ならないから、異なる層間の同一地点間の移動距離は水平距離で言えば、直階段の上り口から降り口までの距離に過ぎない。
【００１７】
結果として、図６に示すように下階の階段の上り口から階段（直階段）の対向する側である上階の降り口まで移動した後に上階の廊下や床を通じ、階段室周りを迂回する必要が図５ではなくなるため、移動の効率が大幅に向上し、移動時間が短縮される。
【００１８】
図５に示す一方の階段の下階の上り口からは、交差区間（連通区間）を経由することで、隣接する他方の階段の同一階の上り口に移動することも可能であり、同一層内での階段室を挟んで対向する一方側の床から他方側の床にまで移動する際にも、階段室周りを迂回することなく、移動のための水平距離を短縮することが可能である。
【００１９】
隣接する２本の階段の交差区間（連通区間）は少なくとも通路として使用されている期間は、手摺りや壁等の境界（仕切り）がない開放状態になるが、通行時の安全性確保の目的で、階段（段板）とは別に渡り部材が着脱自在に設置される。渡り部材は２本の階段の交差区間（連通区間）に、階段の長さ方向に各階段の複数枚の段板に跨る長さを持つと共に、階段の幅方向には隣接する階段間に跨る幅を持ち、隣接する階段の各段板上に載置された状態で、隣接する階段の双方に着脱自在に設置される（請求項１、２）。各階段の、少なくとも隣接する階段側に側桁がある場合には、渡り部材は両階段の側桁間に跨る幅を持つ。
【００２０】
渡り部材は双方の階段に対して着脱自在であることで、主に建物の工事期間中の仮設部材として設置されるが、仮設の場合の設置状態での安定性は各階段の段板、側桁、もしくは仮設の手摺り等に仮固定されることにより確保される。渡り部材の段板に突き当たる部位は段板の表面形状に応じて切り欠かれた形状に形成される。
【００２１】
前記のように階段は幅方向に３本以上、隣接することもあり、その内の幅方向の中心に位置する階段の一方側に隣接する階段との交差位置と、他方側に隣接する階段との交差位置が異なるような場合には、階段幅方向の中心に位置する階段には２箇所の交差区間が形成されるため、その２箇所に渡り部材が設置されることもある。
【発明の効果】
【００２２】
隣接する２本の階段が双方の階段の長さ方向中間部において互いに交差し、この交差する区間において階段の幅方向に連通するため、異なる層間の中間部の高さで隣接する２本の階段間の移動（往来）が可能になり、異なる層間の同一地点間の短絡化した移動が可能になる。
【００２３】
従って例えば下階の階段の上り口から直上階の階段の上り口まで移動する際には、下階の階段の上り口から階段の中途（長さ方向中間部）の交差区間（連通区間）まで上昇したところで、交差区間（連通区間）から隣接する階段に移動し、折り返してその階段の中途（中間部）から降り口まで上昇すればよいため、階段室周りを迂回する必要がなくなり、移動の効率が大幅に向上し、移動時間を短縮することができる。
【図面の簡単な説明】
【００２４】
【図１】隣接する階段の交差（連通）区間とこの交差区間に配置された渡り部材を一方の階段の上方から見た様子を示した斜視図である。
【図２】図１に示す交差（連通）区間と渡り部材を一方の階段の中間部から見た様子を示した斜視図である。
【図３】幅方向に隣接する階段が交差している様子を示した立面図である。
【図４】（ａ）は交差区間に位置する各階段の各段板が階段の長さ方向に１枚の段板分、ずれている図３に示す例の隣接する階段の関係を示した斜視図、（ｂ）は交差区間に位置する各階段の各段板がずれていない場合の隣接する階段の関係を示した斜視図である。
【図５】隣接する階段の交差（連通）区間を通じて下階の上り口から直上階の同一位置の降り口まで移動するときの動線を示した平面図である。
【図６】隣接する階段間に連通区間がない従来の階段室において、下階の上り口から直上階の同一位置の降り口まで移動するときの迂回した動線を示した平面図である。
【発明を実施するための形態】
【００２５】
以下、図面を用いて本発明を実施するための最良の形態を説明する。
【００２６】
図１、図２は平面上、空間を挟んで対向し、層（階）の異なる床５，６間に架設される複数本の直階段型の階段２１，２２がその幅方向に隣接しながら、立面上、互いに交差し、その交差区間３を通じて隣接する階段２１，２２間の往来を可能にしたクロス階段１の施工例を示す。
【００２７】
図１は一方の階段２１の上階寄りから交差区間３を見下ろした様子を、図２は一方の階段２１の下階寄りから交差区間３を水平に見た様子を示している。隣接する２本の階段２１，２２は双方の階段２１，２２の長さ方向中間部において互いに交差し、この交差区間３が階段２１，２２の幅方向に連通、もしくは開放し、階段２１，２２間が往来可能となる。交差区間３は連通区間、あるいは開放空間とも言い換えられる。
【００２８】
交差区間３は階段２１，２２の長さ方向には少なくとも一人の人間が横向き（階段を昇降するときの向き）になって通行可能な幅を持つ。この幅は後述するように各階段２１，２２の２枚以上の段板２ｂに跨る長さになる。交差区間３は階段２１，２２の幅方向には少なくとも双方の階段２１，２２の後述する側桁２ａ，２ａ間、または段板２ｂ，２ｂ間に跨る長さを持つ。
【００２９】
交差区間（連通区間）３は主に階段２１，２２を含めた建物（構造物）の工事（構築）期間中の作業性を向上させる目的で、仮設の設備として形成されるため、構築終了後には階段２１，２２の使用目的、用途等に応じて撤去（回収）、もしくは壁４等で塞がれることもあるが、構築終了後に開放したまま残されることもある。図示するクロス階段１（階段２１，２２）は交差区間（連通区間）３の撤去後に本設の階段として使用される場合の例を示しているが、クロス階段１自体が仮設の設備である場合もある。
【００３０】
階段２１，２２は図５に示すように建物の完成時には、例えば階段室を構成する、各階段２１，２２の幅方向両側に位置する壁４，４に支持されることもあるが、少なくとも壁４が構築される以前の工事期間中には各階段２１，２２は独立して下層階の床５と上層階の床６間に架設される。このため、階段２１，２２は原則として幅方向両側に側桁（ささら桁を含む）２ａ，２ａを持ち、両側の側桁２ａ，２ａ間に段板２ｂが架設され、支持された桁付きの階段として設置される。段板２ｂの側桁２ａ，２ａへの支持（接合）方法は問われない。上下に隣接する段板２ｂ，２ｂ間には蹴込み板が配置される場合と配置されない場合がある。
【００３１】
各階段２１，２２の両側の側桁２ａ，２ａは仮設の、もしくは本設の壁４，４であることもあり、後者の場合、段板２ｂが両側の壁４，４に支持されることになる。壁４，４が段板２ｂを支持する場合、少なくとも交差区間３が仮設の設備として形成される工事期間中は、隣接する階段２１，２２間の境界に位置する壁４は交差区間３が開放した開口部を有する壁となる。
【００３２】
図１、図２では各階段２１，２２の段板２ｂが側桁２ａ，２ａに支持された形であることから、作業期間中の階段２１，２２通行時の安全性確保のための仮設の手摺り７を、交差区間３以外の区間の側桁２ａ，２ａにクランプ等の固定具７１を用いて着脱自在に固定している。この場合、手摺り７は交差区間３では不在になり、交差区間３には通行のための踏み台になる渡り部材８が設置される。手摺り７は前記のように仮設の、もしくは本設の壁４（腰壁と垂れ壁を含む）であることもある。
【００３３】
渡り部材８は図１、図２に示すように階段２１，２２の幅方向両側に位置し、各階段２１，２２の段板２ｂ，２ｂに接地する脚部８ａ，８ａと両脚部８ａ，８ａを繋ぎ、人（作業者）が交差区間３の通行時に踏み板として載り得る連結部８ｂの３部分を有し、脚部８ａ，８ａの底部が段板２ｂ，２ｂの表面に接触（当接）し、段板２ｂ，２ｂに支持される。渡り部材８の製作方法は問われない。渡り部材８は例えば分離している部材としての脚部８ａ，８ａと連結部８ｂを組み立て、互いに接合して製作される場合と、一体構造で製作される場合の他、２本の脚部８ａ，８ａが一体化した部材に連結部８ｂを接合して製作されることもある。
【００３４】
図１、図２では階段２１の長さ方向両側である連結部８ｂの幅方向両側が開放したままの状態にあるが、連結部８ｂの幅方向両側には、側桁２ａ，２ｂの形状、あるいは傾斜に応じた切り欠きが形成された端板が固定され、両側が塞がれることもある。端板は後述の壁部８ｃが兼ねることもある。
【００３５】
図１、図２ではまた、脚部８ａ，８ａと連結部８ｂからなる渡り部材８の幅方向（階段の長さ方向）両側に、渡り部材８上を通行するときの落下（転落）防止のための壁部８ｃ、もしくは柵を組み合わせ、脚部８ａ，８ａと連結部８ｂの少なくともいずれかに一体的に接合し、壁部８ｃを仮設の手摺り７にクランプ、紐等の留め具９によって仮固定している。壁部８ｃは図２に示すように脚部８ａ，８ａ、もしくは連結部８ｂにねじ等によって固定される。
【００３６】
連結部８ｂの底面は両階段２１，２２の側桁２ａ，２ａに接触するか、側桁２ａ，２ａから浮いた状態になる。側桁２ａ，２ａに接触すれば、渡り部材８は段板２ｂ，２ｂと側桁２ａ，２ａに支持され、浮いた状態にあれば、渡り部材８は段板２ｂ，２ｂに支持される。段板２ｂが側桁２ａではなく、壁４に支持される場合、渡り部材８は基本的に脚部８ａ，８ａにおいて両階段２１，２２の段板２ｂ，２ｂに支持される。
【００３７】
連結部８ｂの底面が側桁２ａ，２ａに接触する場合には、連結部８ｂがその平面上の中心に関して長さ方向両側にある２点で側桁２ａ，２ａに支持される形になるため、固定状態での安定性が高まる利点がある。連結部８ｂの底面には、固定状態での安定性を高めるために、向きの異なる側桁２ａ，２ａの上端部の傾斜に合わせ、側桁２ａ，２ａが納まる溝等が形成されることもある。
【００３８】
渡り部材８は図１等に示すように幅方向（階段の長さ方向）には隣接する階段２１，２２の２枚以上の段板２ｂに跨る長さを持つ。渡り部材８は上り口から降り口にかけて互いに向きの相違する階段２１，２２間に跨る。
【００３９】
図３は図４−（ａ）に示すように隣接する階段２１，２２の、交差区間３に位置する各段板２ｂ，２ｂの奥行き方向中心が同一線上になく、階段２１，２２の長さ方向に１枚の段板２ｂ分、ずれている場合の、交差する階段２１，２２の例を示している。図４−（ｂ）は交差区間３に位置する各段板２ｂ，２ｂの奥行き方向中心が同一線上にある場合の例を示している。
【００４０】
図４−（ａ）、（ｂ）では各階段２１，２２を３枚の段板２ｂで示しているが、（ａ）では各階段２１，２２の交差区間３に位置する中央の段板２ｂ，２ｂが階段２１，２２の長さ方向に１枚分、ずれており、（ｂ）では中央の段板２ｂ，２ｂの奥行き方向中心が同一線上に位置している。
【００４１】
図３は図４−（ａ）に示す各階段２１，２２の中央と下段側の２枚の段板２ｂ，２ｂが交差区間３に位置し、その２枚の段板２ｂ，２ｂに渡り部材８が跨る場合である。図４−（ｂ）に示す例では中央の１枚の段板２ｂのみが交差区間３に位置するか、（ａ）に例と同様に中央と下段側の２枚の段板２ｂ，２ｂが交差区間３に位置する。図４−（ｂ）の場合には各階段２１，２２の１枚の段板２ｂにのみ渡り部材８が跨ることもある。
【００４２】
図１、図２に示すように渡り部材８の脚部８ａ，８ａは一方の階段２１の２枚以上の段板２ｂと他方の階段２２の２枚以上の段板２ｂに支持される。図１、図２は各脚部８ａが各階段２１，２２の２枚の段板２ｂに支持されている場合の例を示す。脚部８ａ，８ａが２枚以上の段板２ｂに支持される場合、脚部８ａの底面は２枚以上の段板２ｂの踏面の形状に合わせて切り欠かれた形状に形成される。
【００４３】
図１、図２は前記のように仮設の手摺り７が各階段２１，２２の側桁２ａ，２ａに仮固定されている様子を示している。ここで、仮設の全手摺り７の高さと長さが一定の場合、一方の階段２１の上り口から交差区間３までの区間に固定される手摺り７の交差区間３（渡り部材８）側の高さと、それに階段２１の幅方向に隣接する手摺り７の交差区間３（渡り部材８）側の高さには段差が生ずるため、渡り部材８の壁部８ｃの高さは相対的に上に位置する手摺り７の高さに合わせられる。壁部８ｃ，８ｃの互いに対向する面にはその交差区間３が何階と何階の中間部であるかを表示する表示版８ｄが接着、ねじ止め等、何らかの手段で付着させられる。
【００４４】
図４−（ａ）に示すように１枚の段板２ｂの奥行き（踏面寸法）が１個の渡り部材８（脚部８ａ）の長さ（交差区間３の幅）より小さく、渡り部材８（交差区間３）が２枚以上の段板２ｂ，２ｂに跨って設置される場合、交差区間３（渡り部材８）まで上りとなる一方の階段２１の交差区間３寄りの段板２ｂのレベル（高さ）と、その位置から上りとなる他方の階段２２の段板２ｂのレベル（高さ）とに段差が生まれる。それに伴い、一方の階段２１の上り口から交差区間３までの区間に固定される手摺り７の交差区間３（渡り部材８）側の高さと、それに階段２１の幅方向に隣接する手摺り７の交差区間３（渡り部材８）側の高さには図１、図２に示すように段差が生ずる。
【００４５】
図４−（ｂ）に示すように各階段２１，２２の１枚の段板２ｂの奥行きが１個の渡り部材８の長さ以上である場合には、交差区間３に位置する両段板２ｂ，２ｂの中心が同一線上にあり、両段板２ｂ，２ｂの表面も同一面内にあるため、双方の手摺り７，７の高さが等しくなることもある。
【００４６】
渡り部材８は交差区間３を通行する人（作業者）の通行時の踏み台としての機能を果たすため、交差区間３への設置状態で階段２１，２２の長さ方向と幅方向に滑りを生じない程度の安定性を確保した状態で仮固定されることが適切である。渡り部材８は人が所持する道具や工具等が通行時に落下した場合に、階段２１，２２間の隙間から下方へ落下することを阻止する役割も果たす。
【００４７】
例えば図１等に示すように渡り部材８が両階段２１，２２の２枚以上の段板２ｂに跨る場合は、脚部８ａが一方の階段２１の段板２ｂ、もしくは蹴込み板に上り側へ係合すると同時に、他方の階段２２の段板２ｂ、もしくは蹴込み板に上り側へ係合することで、渡り部材８の幅方向（階段２１，２２長さ方向）の移動が拘束される。階段２１，２２の幅方向には脚部８ａが両階段２１，２２の側桁２ａ，２ａに係合することで、その方向の移動に対して拘束される。
【００４８】
脚部８ａの段板２ｂ等への係合と側桁２ａへの係合によって渡り部材８が階段２１，２２の長さ方向と幅方向の安定性を確保する場合は、図１、図２に示すように壁部８ｃにおける留め具９での手摺り７等への連結によって設置状態での安定性が確保される。
【符号の説明】
【００４９】
１……クロス階段、
２１、２２……階段、２ａ……側桁、２ｂ……段板、
３……交差区間、
４……壁、
５、６……床、
７……手摺り、７１……固定具、
８……渡り部材、８ａ……脚部、８ｂ……連結部、８ｃ……壁部、８ｄ……表示版、
９……留め具。
【図１】
0005917208.tif 000002
【図２】
0005917208.tif 000003
【図３】
0005917208.tif 000004
【図４】
0005917208.tif 000005
【図５】
0005917208.tif 000006
【図６】
0005917208.tif 000007